【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】
画像データに基づき記録媒体上に画像形成する画像形成装置において、
画像データに基づくトナー像を記録媒体上に形成する画像形成手段と、
前記トナー像を加熱して前記記録媒体上に定着させる定着手段と、
前記定着手段の表面温度を検出する温度検出手段と、
前記トナー像の印刷率を算出する印刷率算出手段と、
サイズの異なる記録媒体を選択的に供給する供給手段と、
前記供給手段から供給された記録媒体を前記画像形成手段及び前記定着手段を介して搬送する搬送手段と、
検出された前記定着手段の表面温度と予め設定された基準温度とに基づいて前記定着手段の表面温度を温度制御するとともに、前記画像形成手段の画像形成動作と前記搬送手段の搬送動作と前記定着手段の定着動作と前記供給手段の供給動作とを制御する制御手段と、を備え、
前記制御手段は、前記供給手段から次に供給される記録媒体のサイズと前記算出された印刷率とに基づいて、印刷動作を中断するか否かを判断し、印刷動作を中断すると判断した場合には、印刷動作を中断するように制御することを特徴とする画像形成装置。
【請求項２】
画像データをビットマップデータに展開する画像展開手段と、
前記ビットマップデータに展開された画像データを蓄積する情報蓄積手段と、を備え、
前記印刷率算出手段は、前記ビットマップデータに基づき前記印刷率を算出することを特徴とする請求項１に記載の画像形成装置。
【請求項３】
前記供給手段から今回供給された記録媒体のサイズとしての今回記録媒体サイズが、前回供給された記録媒体のサイズとしての前回記録媒体サイズよりも大きい場合に、前記前回記録媒体サイズに基づいて、今回供給された記録媒体内の印刷領域にあり、前回供給された記録媒体の印刷領域及び非印刷領域を含む境界領域を定義する境界領域定義手段と、
前記定義された境界領域内に形成されるトナー像の境界領域印刷率を算出する境界領域印刷率算出手段と、を備え、
前記制御手段は、前記供給手段から次に供給される記録媒体のサイズと前記算出された境界領域印刷率とに基づいて、印刷動作を中断するか否かを判断し、印刷動作を中断すると判断した場合には、印刷動作を中断するように制御することを特徴とする請求項１または２に記載の画像形成装置。
【請求項４】
画像データに基づき記録媒体上に白黒又はフルカラーの画像形成する画像形成装置において、
画像データを白黒で形成する白黒モード又はフルカラーで形成するフルカラーモードを選択するカラーモード選択手段と、
前記選択されたカラーモードと画像データとに基づくトナー像を記録媒体上に形成する画像形成手段と、
前記トナー像を加熱して前記記録媒体上に定着させる定着手段と、
前記定着手段の表面温度を検出する温度検出手段と、
サイズの異なる記録媒体を選択的に供給する供給手段と、
前記供給手段から供給された記録媒体を前記画像形成手段及び前記定着手段を介して搬送する搬送手段と、
検出された前記定着手段の表面温度と予め設定された基準温度とに基づいて前記定着手段の表面温度を温度制御するとともに、前記画像形成手段の画像形成動作と前記搬送手段の搬送動作と前記定着手段の定着動作と前記供給手段の供給動作とを制御する制御手段と、を備え、
前記制御手段は、前記供給手段から次に供給される記録媒体のサイズと前記選択されたカラーモードとに基づいて、印刷動作を中断するか否かを判断し、印刷動作を中断すると判断した場合には、印刷動作を中断するように制御することを特徴とする画像形成装置。
【請求項５】
画像データに基づき記録媒体上に画像形成する画像形成装置において、
画像出力の速度を優先する速度優先モード、又は画像形成の画質を優先する画質優先モードを設定する優先モード設定部と、
画像データに基づくトナー像を記録媒体上に形成する画像形成手段と、
前記トナー像を加熱して前記記録媒体上に定着させる定着手段と、
前記定着手段の表面温度を検出する温度検出手段と、
サイズの異なる記録媒体を選択的に供給する供給手段と、
前記供給手段から供給された記録媒体を前記画像形成手段及び前記定着手段を介して搬送する搬送手段と、
検出された前記定着手段の表面温度と予め設定された基準温度とに基づいて前記定着手段の表面温度を温度制御するとともに、前記画像形成手段の画像形成動作と前記搬送手段の搬送動作と前記定着手段の定着動作と前記供給手段の供給動作とを制御する制御手段と、を備え、
前記制御手段は、前記供給手段から次に供給される記録媒体のサイズと前記設定された優先モードとに基づいて、印刷動作を中断するか否かを判断し、印刷動作を中断すると判断した場合には、印刷動作を中断するように制御することを特徴とする画像形成装置。
【請求項６】
前記制御手段は、前記温度検出手段により検出された前記定着手段の表面温度に基づいて、印刷動作を中断するか否かを判断し、印刷動作を中断すると判断した場合には、印刷動作を中断するように制御することを特徴とする請求項１から５のいずれか一項に記載の画像形成装置。
【請求項７】
前記制御手段は、印刷動作を中断すると判断した場合には、前記画像形成手段による画像形成動作、前記搬送手段による搬送動作、前記定着手段による定着動作及び前記供給手段の供給動作を中断するように、前記画像形成手段、前記搬送手段、前記定着手段及び前記供給手段を制御することを特徴とする請求項１から６のいずれか一項に記載の画像形成装置。
【手続補正２】
【補正対象書類名】明細書
【補正対象項目名】００１０
【補正方法】変更
【補正の内容】
【００１０】
【課題を解決するための手段】
上記課題を解決するために、請求項１に記載の発明は、画像データに基づき記録媒体上に画像形成する画像形成装置において、
画像データに基づくトナー像を記録媒体上に形成する画像形成手段と、
前記トナー像を加熱して前記記録媒体上に定着させる定着手段と、
前記定着手段の表面温度を検出する温度検出手段と、
前記トナー像の印刷率を算出する印刷率算出手段と、
サイズの異なる記録媒体を選択的に供給する供給手段と、
前記供給手段から供給された記録媒体を前記画像形成手段及び前記定着手段を介して搬送する搬送手段と、
検出された前記定着手段の表面温度と予め設定された基準温度とに基づいて前記定着手段の表面温度を温度制御するとともに、前記画像形成手段の画像形成動作と前記搬送手段の搬送動作と前記定着手段の定着動作と前記供給手段の供給動作とを制御する制御手段と、を備え、
前記制御手段は、前記供給手段から次に供給される記録媒体のサイズと前記算出された印刷率とに基づいて、印刷動作を中断するか否かを判断し、印刷動作を中断すると判断した場合には、印刷動作を中断するように制御することを特徴とする。
【手続補正３】
【補正対象書類名】明細書
【補正対象項目名】００１１
【補正方法】変更
【補正の内容】
【００１１】
請求項２に記載の発明は、請求項１に記載の画像形成装置において、
画像データをビットマップデータに展開する画像展開手段と、
前記ビットマップデータに展開された画像データを蓄積する情報蓄積手段と、を備え、
前記印刷率算出手段は、前記ビットマップデータに基づき前記印刷率を算出することを特徴とする。
【手続補正４】
【補正対象書類名】明細書
【補正対象項目名】００１２
【補正方法】変更
【補正の内容】
【００１２】
請求項３に記載の発明は、請求項１または２に記載の画像形成装置において、
前記供給手段から今回供給された記録媒体のサイズとしての今回記録媒体サイズが、前回供給された記録媒体のサイズとしての前回記録媒体サイズよりも大きい場合に、前記前回記録媒体サイズに基づいて、今回供給された記録媒体内の印刷領域にあり、前回供給された記録媒体の印刷領域及び非印刷領域を含む境界領域を定義する境界領域定義手段と、
前記定義された境界領域内に形成されるトナー像の境界領域印刷率を算出する境界領域印刷率算出手段と、を備え、
前記制御手段は、前記供給手段から次に供給される記録媒体のサイズと前記算出された境界領域印刷率とに基づいて、印刷動作を中断するか否かを判断し、印刷動作を中断すると判断した場合には、印刷動作を中断するように制御することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項４に記載の発明は、画像データに基づき記録媒体上に白黒又はフルカラーの画像形成する画像形成装置において、
画像データを白黒で形成する白黒モード又はフルカラーで形成するフルカラーモードを選択するカラーモード選択手段と、
前記選択されたカラーモードと画像データとに基づくトナー像を記録媒体上に形成する画像形成手段と、
前記トナー像を加熱して前記記録媒体上に定着させる定着手段と、
前記定着手段の表面温度を検出する温度検出手段と、
サイズの異なる記録媒体を選択的に供給する供給手段と、
前記供給手段から供給された記録媒体を前記画像形成手段及び前記定着手段を介して搬送する搬送手段と、
検出された前記定着手段の表面温度と予め設定された基準温度とに基づいて前記定着手段の表面温度を温度制御するとともに、前記画像形成手段の画像形成動作と前記搬送手段の搬送動作と前記定着手段の定着動作と前記供給手段の供給動作とを制御する制御手段と、を備え、
前記制御手段は、前記供給手段から次に供給される記録媒体のサイズと前記選択されたカラーモードとに基づいて、印刷動作を中断するか否かを判断し、印刷動作を中断すると判断した場合には、印刷動作を中断するように制御することを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
請求項５に記載の発明は、画像データに基づき記録媒体上に画像形成する画像形成装置において、
画像出力の速度を優先する速度優先モード、又は画像形成の画質を優先する画質優先モードを設定する優先モード設定部と、
画像データに基づくトナー像を記録媒体上に形成する画像形成手段と、
前記トナー像を加熱して前記記録媒体上に定着させる定着手段と、
前記定着手段の表面温度を検出する温度検出手段と、
サイズの異なる記録媒体を選択的に供給する供給手段と、
前記供給手段から供給された記録媒体を前記画像形成手段及び前記定着手段を介して搬送する搬送手段と、
検出された前記定着手段の表面温度と予め設定された基準温度とに基づいて前記定着手段の表面温度を温度制御するとともに、前記画像形成手段の画像形成動作と前記搬送手段の搬送動作と前記定着手段の定着動作と前記供給手段の供給動作とを制御する制御手段と、を備え、
前記制御手段は、前記供給手段から次に供給される記録媒体のサイズと前記設定された優先モードとに基づいて、印刷動作を中断するか否かを判断し、印刷動作を中断すると判断した場合には、印刷動作を中断するように制御することを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
請求項６に記載の発明は、請求項１から５のいずれか一項に記載の画像形成装置において、
前記制御手段は、前記温度検出手段により検出された前記定着手段の表面温度に基づいて、印刷動作を中断するか否かを判断し、印刷動作を中断すると判断した場合には、印刷動作を中断するように制御することを特徴とする。
【手続補正１１】
【補正対象書類名】明細書
【補正対象項目名】００１９
【補正方法】変更
【補正の内容】
【００１９】
請求項７に記載の発明は、請求項１から６のいずれか一項に記載の画像形成装置において、
前記制御手段は、印刷動作を中断すると判断した場合には、前記画像形成手段による画像形成動作、前記搬送手段による搬送動作、前記定着手段による定着動作及び前記供給手段の供給動作を中断するように、前記画像形成手段、前記搬送手段、前記定着手段及び前記供給手段を制御することを特徴とする。
【手続補正１２】
【補正対象書類名】明細書
【補正対象項目名】００６９
【補正方法】変更
【補正の内容】
【００６９】
【発明の効果】
請求項１に記載の発明によれば、定着手段の表面温度を温度制御するとともに、次に供給される記録媒体のサイズ及び印刷率に基づいて、印刷動作を中断するか否かを判断し、印刷動作を中断すると判断した場合には、印刷動作を中断するように制御する。このため、次に供給される記録媒体のサイズ及び印刷率に基づいて、記録媒体上の画像むらが気にされない場合の印刷動作の中断を避け、記録媒体への印刷動作の中断を必要最小限にすることができる。
請求項２に記載の発明によれば、ビットマップデータに基づき印刷率を算出することができる。
【手続補正１３】
【補正対象書類名】明細書
【補正対象項目名】００７０
【補正方法】変更
【補正の内容】
【００７０】
請求項３に記載の発明によれば、次に供給される記録媒体のサイズと、今回記録媒体サイズが前回記録媒体サイズよりも大きい場合の境界領域印刷率とに基づいて、印刷動作を中断するか否かを判断し、印刷動作を中断すると判断した場合には、印刷動作を中断するように制御する。このため、今回記録媒体サイズが前回記録媒体サイズよりも大きく、記録媒体の境界領域に画像むらの発生の可能性があり、かつ境界領域印刷率が低く記録媒体上の画像むらが気にされない場合の印刷動作の中断を避けることができる。
【手続補正１４】
【補正対象書類名】明細書
【補正対象項目名】００７１
【補正方法】変更
【補正の内容】
【００７１】
請求項４に記載の発明によれば、定着手段の表面温度を温度制御するとともに、次に供給される記録媒体のサイズ及びカラーモードに基づいて、印刷動作を中断するか否かを判断し、印刷動作を中断すると判断した場合には、印刷動作を中断するように制御する。このため、次に供給される記録媒体のサイズ及びカラーモードに基づいて、白黒モード時で記録媒体上の画像むらが気にされない場合の印刷動作の中断を避け、記録媒体への印刷動作の中断を必要最小限にすることができる。
【手続補正１５】
【補正対象書類名】明細書
【補正対象項目名】００７２
【補正方法】変更
【補正の内容】
【００７２】
請求項５に記載の発明によれば、定着手段の表面温度を温度制御するとともに、次に供給される記録媒体のサイズ及び優先モードに基づいて、印刷動作を中断するか否かを判断し、印刷動作を中断すると判断した場合には、印刷動作を中断するように制御する。このため、次に供給される記録媒体のサイズ及び優先モードに基づいて、速度優先モード時で記録媒体上の画像むらが気にされない場合の印刷動作の中断を避け、記録媒体への印刷動作の中断を必要最小限にすることができる。
【手続補正１６】
【補正対象書類名】明細書
【補正対象項目名】００７３
【補正方法】変更
【補正の内容】
【００７３】
請求項６に記載の発明によれば、定着手段の表面温度に基づいて、印刷動作を中断するか否かを判断し、印刷動作を中断すると判断した場合には、印刷動作を中断するように制御する。このため、定着手段の表面温度に基づいて、記録媒体上の画像むらの発生の可能性をさらに正確に判別でき、記録媒体上の画像むらが気にされない場合の印刷動作の中断をさらに正確に避けることができる。
請求項７に記載の発明によれば、印刷動作を中断すると判断した場合には、画像形成動作、搬送動作、定着動作及び供給動作を中断するように、画像形成手段、搬送手段、定着手段及び供給手段を制御することができる。